(57)【特許請求の範囲】
【請求項１】
波長多重伝送に使用される波長多重信号光から特定の波長の信号を選択して取り出す波長選択スイッチにおいて、
入力される波長多重信号光を、各グループに属する信号光数がほぼ等しく、かつ、他のグループの波長光を含まないＮ個のグループに分け出力する波長光グループ化手段と、
前記波長光グループ化手段のＮ個の出力ポートのそれぞれに接続され、帯域遮断型の光フィルタとして動作し、２個の出力ポートからそれぞれ相補関係にある波長光を出力するＮ個の光選択手段と、
前記Ｎ個の光選択手段の第一出力ポートからの光信号を合波する第一の合波器と、
前記Ｎ個の光選択手段の第二出力ポートからの光信号を合波する第二の合波器と、からなり、
前記波長光グループ化手段は、
入力される波長多重信号光をＮ個に分ける１×Ｎ光分岐器と、
該１×Ｎ光分岐器のｊ番目（ただし、ｊ＝１，２，…，Ｎ）の出力ポートに接続され該ｊ番目グループに属さない波長光の通過を遮断する手段と、からなり、
前記ｊ番目の前記光選択手段は、
前記波長光グループ化手段からの入力を２つに分岐させる１×２光分岐器と、
該ｊ番目グループに属するＭj 個の各波長光を独立に遮断できるＭj 種（ただし、Ｍj ＝１，２，…，整数）の遮断手段、および、前記１×２光分岐器に縦列に接続されるＭj 個の２×２光スイッチからなる光回路と、を備え、
前記ｊ番目の光選択手段の中の縦列に接続された２×２光スイッチの各第一ポートにはポート直前に、前記Ｍj 種の遮断手段の中の一個が接続されてなり、
前記２×２光スイッチの各々は、
外部からの制御に応じて、該２×２光スイッチの第一ポートと第二ポートから入力された光信号をそれぞれ第三ポートと第四ポートから出力するバー状態、または、第一ポートと第二ポートに入力された光信号をそれぞれ第四ポートと第三ポートから出力するクロス状態のいずれかの接続状態に設定される
ことを特徴とする波長選択スイッチ。
【請求項２】
波長多重伝送に使用される波長多重信号光から特定の波長の信号を選択して取り出す波長選択スイッチにおける波長光の選択方法であって、
前記波長選択スイッチは、波長光グループ化手段と、該波長光グループ化手段のＮ個の出力ポートのそれぞれに接続されるＮ個の光選択手段と、該Ｎ個の光選択手段の第一出力ポートに接続される第一の合波器と、該Ｎ個の光選択回路の第二出力ポートに接続される第２の合波器と、を備え、
前記波長光グループ化手段は、１×Ｎ光分岐器と、該１×Ｎ光分岐器のｊ番目（ただし、ｊ＝１，２，…，Ｎ）の出力ポートに接続される特定の波長光の通過を遮断する手段と、を備え、
前記ｊ番目の前記光選択手段は、１×２光分岐器と、該１×２光分岐器に縦列に接続されるＭj 個（ただし、Ｍj ＝１，２，…，整数）の２×２光スイッチおよび該２×２光スイッチの各第一ポートのポート直前にいずれかの一個が接続され、ｊ番目グループに属するＭj 個の各波長光を独立に遮断できるＭj 種の遮断手段からなる光回路と、を備え、
前記波長光グループ化手段が、入力される波長多重信号光を、各グループに属する信号光数がほぼ等しく、かつ、他のグループの波長光を含まないＮ個のグループに分け出力するステップと、
前記Ｎ個の光選択手段が、帯域遮断型の光フィルタとして動作し、２個の出力ポートからそれぞれ相補関係にある波長光を出力するステップと、
前記第一の合波器が、前記Ｎ個の光選択手段の第一出力ポートからの光信号を合波するステップと、
前記第二の合波器が、前記Ｎ個の光選択手段の第二出力ポートからの光信号を合波するステップと、を含み、
前記波長光グループ化手段によるステップは、
前記１×Ｎ光分岐器が、入力される波長多重信号光をＮ個に分けるステップと、
前記特定の波長光の通過を遮断する手段が、前記１×Ｎ光分岐器のｊ番目の出力に含まれる該ｊ番目グループに属さない波長光の通過を遮断するステップと、からなり、
前記光選択手段によるステップは、
前記１×２光分岐器が、前記波長光グループ化手段からの入力を２つに分岐させるステップと、
前記２×２光スイッチの各々において、外部からの制御により、該２×２光スイッチの第一ポートと第二ポートから入力された光信号をそれぞれ第三ポートと第四ポートから出力するバー状態、または、第一ポートと第二ポートに入力された光信号をそれぞれ第四ポートと第三ポートから出力するクロス状態のいずれかの接続状態に設定し、各２×２光スイッチの第一ポートのポート直前に接続された遮断手段を介して、波長光を選択するステップと、からなる
ことを特徴とする波長選択スイッチにおける波長光の選択方法。
【発明の詳細な説明】
【０００１】
【発明の属する技術分野】
本発明は、波長多重伝送システムにおいて、個々の波長信号毎に経路設定等の信号処理を行うため、波長多重信号光から特定の波長の信号を選択して取り出す波長選択スイッチに関するものである。
【０００２】
【従来の技術】
波長多重信号光から特定の波長信号を取り出す装置として、表面弾性波ガイド領域を有する導波路を導波路型偏光ビーム分離器で挟んだ構成のもの（参考文献：電子情報通信学会誌８２巻７号７７２−７７５頁）、位相推移器をアレイド・ウェイブガイド・グレーティングで挟んだ構成のもの（参考文献:IEEE Photon.Thchnol.Lett.,Vol.11,No.5,pp.557-559）、液晶空間変調器を用いたもの（参考文献:ECOC'99 Proceedings,pp,I68-69）等、種種の構成が知られている。
【０００３】
ところで、これらの従来技術では、選択され出力ポートから出力される光信号に対して装置は、帯域通過型の光フィルタとして動作している。理想的な帯域通過型の光フィルタは、図３に点線で示すように矩形のスペクトル通過特性を持つこと、及び、通過帯域内で線形な位相特性を持つ（即ち、波長分散が無い）ことが望まれる。しかしながら、従来技術では、図３に実線で示すようにリップルを有しているため信号スペクトルの一部が切り取られるフィルタリング効果を受ける、また、通過帯域内で波長分散を有しているため、出力された光信号波形に歪が発生する。
【０００４】
このような帯域通過型の光フィルタとして動作する従来技術の欠点を解決するため、帯域遮断型の光フィルタとして動作する波長選択スイッチが提案された（参考文献IEE Electronics Letters,Vo1.36,No.4,pp339-340,2000）。この波長選択スイッチの構成を図４に示す。ここでは、波長λ１、λ２、λ３、λ４の４チャンネルから成る波長多重信号光の波長選択を行うものとして説明する。
【０００５】
入力された波長多重信号は１×２光分岐器２４で２分岐された後、縦列接続された４個の２×２光スイッチ２５−１，２５−２，２５−３，２５−４を通過する。ｊ番目(ｊ＝１，２，３，４)の２×２光スイッチ２５−ｊの上側の入力ポートには、波長λｊを遮断する手段２６−ｊが備えられている。本例では、光スイッチ２５−１，２５−２，２５−４はクロス状態、光スイッチ２５−３はバー状態に設定されている。なお、図４に示すように、２×２光スイッチの第一ポートと第二ポートから入力された光信号をそれぞれ第三ポートと第四ポートから出力する状態をバー状態、第一ポートと第二ポートに入力された光信号をそれぞれ第四ポートと第三ポートから出力する状態をクロス状態と称す。
【０００６】
１×２光分岐器２４の上側のポートから出た光信号は遮断手段２６−１，２６−４を経由するので波長λ１とλ４の光が遮断され、波長λ２とλ３の信号光が本従来技術の波長選択スイッチの下側出力ポートから出力される。一方、１×２光分岐器２４の下側のポートから出た光信号は遮断手段２６−２，２６−３を経由するので波長λ２とλ３の光が遮断され、波長λ１とλ４の信号光が本従来技術の波長選択スイッチの上側出力ポートから出力される。
【０００７】
４個の光スイッチのバー状態とクロス状態を適切に選択することにより、波長λ１、λ２、λ３、λ４の中から任意の組合せの光信号を上側の出力ポートから、また、この組合せと相補関係にある組合せの光信号を下側の出力ポートから出力させることが可能である。
本例では波長λ１の信号は、波長選択スイッチを通過する時、波長λ２とλ３を遮断する手段を通過するが、波長λ１を遮断する手段は通過しない。
【０００８】
特定の波長λを遮断する手段は、波長λ以外の波長信号には殆ど影響を与えないことが報告されている（参考文献：ECOC'98、Proceedings,pp.405-406）。従って、波長λ１の信号は波長選択スイッチを通過しても、波長λ２とλ３を遮断する手段から殆ど影響を受けない。このように、帯域通過型の光フィルタとして動作する上記の従来技術の波長選択スイッチと異なり、帯域遮断型の光フィルタとして動作する従来技術の波長選択スイッチは、通過する光信号に影響を与えないと言う長所を持っている。
【０００９】
【発明が解決しようとする課題】
しかしながら、帯域遮断型の光フィルタとして動作する従来技術の波長選択スイッチでは、光スイッチが縦列接続されて構成されている。一般に光スイッチは挿入損失が避けられず、市販製品では典型値として１ｄＢ程度が仕様とされている。この従来技術では、波長多重信号光の波長数だけ光スイッチが必要である。従って、波長数が増加するとこの従来技術の波長選択スイッチの挿入損失は非常に大きなものとなる。
【００１０】
本発明は、上記の点に鑑みてなされたもので、選択され出力される光信号に波形歪等の劣化を与えず、且つ、挿入損失の小さい波長選択スイッチを提供することを目的とする。
【００１１】
【課題を解決するための手段】
本発明は、上記目的を達成するため、次のような構成とした。すなわち、本発明の波長選択スイッチは、波長多重伝送に使用される波長多重信号光から特定の波長の信号を選択して取り出す波長選択スイッチにおいて、入力される波長多重信号光を、各グループに属する信号光数がほぼ等しく、かつ、他のグループの波長光を含まないＮ個のグループに分け出力する波長光グループ化手段と、前記波長光グループ化手段のＮ個の出力ポートのそれぞれに接続され、帯域遮断型の光フィルタとして動作し、２個の出力ポートからそれぞれ相補関係にある波長光を出力するＮ個の光選択手段と、前記Ｎ個の光選択手段の第一出力ポートからの光信号を合波する第一の合波器と、前記Ｎ個の光選択手段の第二出力ポートからの光信号を合波する第二の合波器と、からなり、前記波長光グループ化手段は、入力される波長多重信号光をＮ個に分ける１×Ｎ光分岐器と、該１×Ｎ光分岐器のｊ番目（ただし、ｊ＝１，２，…，Ｎ）の出力ポートに接続され該ｊ番目グループに属さない波長光の通過を遮断する手段と、からなり、前記ｊ番目の前記光選択手段は、前記波長光グループ化手段からの入力を２つに分岐させる１×２光分岐器と、該ｊ番目グループに属するＭj 個の各波長光を独立に遮断できるＭj 種（ただし、Ｍj ＝１，２，…，整数）の遮断手段、および、前記１×２光分岐器に縦列に接続されるＭj 個の２×２光スイッチからなる光回路と、を備え、前記ｊ番目の光選択手段の中の縦列に接続された２×２光スイッチの各第一ポートにはポート直前に、前記Ｍj 種の遮断手段の中の一個が接続されてなり、前記２×２光スイッチの各々は、外部からの制御に応じて、該２×２光スイッチの第一ポートと第二ポートから入力された光信号をそれぞれ第三ポートと第四ポートから出力するバー状態、または、第一ポートと第二ポートに入力された光信号をそれぞれ第四ポートと第三ポートから出力するクロス状態のいずれかの接続状態に設定されることを特徴とする波長選択スイッチである。
【００１３】
また、本発明は、波長多重伝送に使用される波長多重信号光から特定の波長の信号を選択して取り出す波長選択スイッチにおける波長光の選択方法であって、前記波長選択スイッチは、波長光グループ化手段と、該波長光グループ化手段のＮ個の出力ポートのそれぞれに接続されるＮ個の光選択手段と、該Ｎ個の光選択手段の第一出力ポートに接続される第一の合波器と、該Ｎ個の光選択回路の第二出力ポートに接続される第２の合波器と、を備え、前記波長光グループ化手段は、１×Ｎ光分岐器と、該１×Ｎ光分岐器のｊ番目（ただし、ｊ＝１，２，…，Ｎ）の出力ポートに接続される特定の波長光の通過を遮断する手段と、を備え、前記ｊ番目の前記光選択手段は、１×２光分岐器と、該１×２光分岐器に縦列に接続されるＭj 個（ただし、Ｍj ＝１，２，…，整数）の２×２光スイッチおよび該２×２光スイッチの各第一ポートのポート直前にいずれかの一個が接続され、ｊ番目グループに属するＭj 個の各波長光を独立に遮断できるＭj 種の遮断手段からなる光回路と、を備え、前記波長光グループ化手段が、入力される波長多重信号光を、各グループに属する信号光数がほぼ等しく、かつ、他のグループの波長光を含まないＮ個のグループに分け出力するステップと、前記Ｎ個の光選択手段が、帯域遮断型の光フィルタとして動作し、２個の出力ポートからそれぞれ相補関係にある波長光を出力するステップと、前記第一の合波器が、前記Ｎ個の光選択手段の第一出力ポートからの光信号を合波するステップと、前記第二の合波器が、前記Ｎ個の光選択手段の第二出力ポートからの光信号を合波するステップと、を含み、前記波長光グループ化手段によるステップは、前記１×Ｎ光分岐器が、入力される波長多重信号光をＮ個に分けるステップと、前記特定の波長光の通過を遮断する手段が、前記１×Ｎ光分岐器のｊ番目の出力に含まれる該ｊ番目グループに属さない波長光の通過を遮断するステップと、からなり、前記光選択手段によるステップは、前記１×２光分岐器が、前記波長光グループ化手段からの入力を２つに分岐させるステップと、前記２×２光スイッチの各々において、外部からの制御により、該２×２光スイッチの第一ポートと第二ポートから入力された光信号をそれぞれ第三ポートと第四ポートから出力するバー状態、または、第一ポートと第二ポートに入力された光信号をそれぞれ第四ポートと第三ポートから出力するクロス状態のいずれかの接続状態に設定し、各２×２光スイッチの第一ポートのポート直前に接続された遮断手段を介して、波長光を選択するステップと、からなることを特徴とする波長選択スイッチにおける波長光の選択方法である。
【００１４】
また、請求項４に記載の発明は、請求項３に記載の波長選択スイッチにおける波長光の選択方法において、前記波長光グループ化手段は、１×Ｎ光分岐器と、該１×Ｎ光分岐器のｊ番目（ただし、ｊ＝１，２，…，Ｎ）の出力ポートに接続される特定の波長光の通過を遮断する手段と、を備え、前記ｊ番目の前記光選択手段は、１×２光分岐器と、該１×２光分岐器に縦列に接続されるＭj 個（ただし、Ｍj ＝１，２，…，整数）の２×２光スイッチおよび該２×２光スイッチの各第一ポートのポート直前にいずれかの一個が接続され、ｊ番目グループに属するＭj 個の各波長光を独立に遮断できるＭj 種の遮断手段からなる光回路と、を備え、前記前記波長光グループ化手段によるステップは、前記１×Ｎ光分岐器が、入力される波長多重信号光をＮ個に分けるステップと、前記特定の波長光の通過を遮断する手段が、前記１×Ｎ光分岐器のｊ番目の出力に含まれる該ｊ番目グループに属さない波長光の通過を遮断するステップと、からなり、前記光選択手段によるステップは、前記１×２光分岐器が、前記波長光グループ化手段からの入力を２つに分岐させるステップと、前記２×２光スイッチの各々において、外部からの制御により、該２×２光スイッチの第一ポートと第二ポートから入力された光信号をそれぞれ第三ポートと第四ポートから出力するバー状態、または、第一ポートと第二ポートに入力された光信号をそれぞれ第四ポートと第三ポートから出力するクロス状態のいずれかの接続状態に設定し、各２×２光スイッチの第一ポートのポート直前に接続された遮断手段を介して、波長光を選択するステップと、からなる構成とした。
【００１５】
以上のように構成することにより、ｊ番目の１×２光分岐器に入力される光信号すなわちｊ番目の光選択手段に入力される光信号は、ｊ番目のグループに属する信号光のみから成り立っている。ｊ番目の１×２光分岐器の出力からｊ番目の光回路の出力までには、二個の光経路が形成されている。一方の光経路上には、ｊ番目のグループに属する光信号の任意の組合せを遮断できる手段が配置され、他方の光経路上には、これと相補関係にあるｊ番目のグループに属する光信号を遮断する手段が配置されている。ｊ番目の光回路に設置されたＭj 個の２×２光スイッチのバー状態とクロス状態を選定することにより、ｊ番目の光回路の一方の出力ポートからは、ｊ番目のグループにの中の任意の組合せの光信号が出力される。また、ｊ番目の光回路の他方の出力ポートからは、ｊ番目のグループにの中の相補関係にある光信号が出力される。すなわち、１×２光分岐器とＭj 個の２×２光スイッチとからなる光選択手段は、帯域遮断型の光フィルタとして動作し、２個の出力ポートからそれぞれ相補関係にある波長光を出力する。そして、Ｎ個の光回路の出力を合波する第一の合波器からは、本発明の波長選択スイッチに入力される光信号の中の任意の組合せの光信号が出力され、第二の合波器からはこれと相補関係にある光信号が出力される。
【００１６】
本発明の波長選択スイッチから出力される光信号は、波長選択スイッチ内で辿る光経路上で、種種の波長光遮断手段を通過するが、その光信号を遮断する手段は通過しない。さて、従来技術の説明で述べたように、特定の波長λを遮断する手段は、波長λ以外の波長信号には殆ど影響を与えないことが報告されている（参考文献：ECOC'98、Proceedings,pp.405-406）。従って、本発明の波長選択スイッチは、波長選択スイッチで選択され出力される光信号に対しては、波形歪等の劣化を与えることはない。
【００１７】
次に、本発明の波長選択スイッチにより生じる損失について説明する。簡単化のため、各グループの波長信号数は全てＭ個として説明する。本発明の波長選択スイッチを通過する際、各波長信号が受ける損失は、２×１０logＮ ＋１０log２ ＋Ｌｓ×Ｍ＋３×Ｌｃである。ここで、Ｌｓは２×２光スイッチの挿入損失、Ｌｃは光分岐器の挿入損失である。
一方、帯域遮断型の光フィルタとして動作する従来技術の波長選択スイッチを通過する際、各波長信号が受ける損失は、１０log２ ＋Ｌｓ×Ｍ×Ｎ＋Ｌｃである。Ｎ＝８の場合の、損失と全波長信号数の関係を図１に示す。ここで、Ｌｓ＝１ｄＢ，Ｌｃ＝１ｄＢとした。本発明が従来技術に比べ低損失であり、特に波長信号数が増加するに従い、その効果が顕著になることが示されている。
【００１８】
【発明の実施の形態】
以下、本発明の実施の形態を、図面を参照して説明する。
図２に、本発明の波長選択スイッチの一実施形態を示す。以下では、波長λ１、λ２、…、λ１６の１６チャンネルから成る波長多重信号光を入力し、波長λ１、λ４、λ６、λ９、λ１０、λ１１、λ１２、λ１４、λ１６の信号を第一出力ポートから、波長λ２、λ３、λ５、λ７、λ８、λ１３、λ１５の信号を第二出力ポートから選択して出力するものとして説明する。
【００１９】
本実施の形態では、波長多重信号光を各々４個の信号光から成る４個のグループに分けており、第１グループは波長λ１、λ２、λ３、λ４、第２グループは波長λ５、λ６、λ７、λ８、第３グループは波長λ９、λ１０、λ１１、λ１２、第４グループは波長λ１３、λ１４、λ１５、λ１６の信号光から構成される。
【００２０】
本実施の形態の波長選択スイッチに入力した波長多重信号光は、１×４光分岐器１で４分岐され、特定の波長光の通過を遮断する手段である波長遮断手段２，３，４，５を通過後、１×２光分岐器６，７，８，９に入力される。波長遮断手段２は第２、第３、第４グループの信号光、波長遮断手段３は第１、第３、第４グループの信号光、波長遮断手段４は第１、第２、第４グループの信号光、波長遮断手段５は第１、第２、第３グループの信号光の通過を遮断する。
【００２１】
光回路１０は、４個の２×２光スイッチ１４−１，１４−２，１４−３，１４−４が縦列に接続され、２×２光スイッチ１４−ｊの第一ポートには、それぞれ、波長λｊの信号光を遮断する手段１５−ｊ（ｊ＝１，２，３，４）を備えている。２×２光スイッチ１４−１，１４−２，１４−３，１４−４は、それぞれ外部からの制御により独立に、第１ポートと第２ポートの光をそれぞれ第３ポートと第４ポートに接続するバー状態、またはそれぞれ第４ポートと第３ポートに接続するクロス状態のいずれかに設定される。
【００２２】
光回路１１，１２，１３は、光回路１０と同様に、それぞれ、４個の２×２光スイッチ１６−１，１６−２，１６−３，１６−４と、１８−１，１８−２，１８−３，１８−４および２０−１，２０−２，２０−３，２０−４が配置されている。更に、光回路１１には、波長λ５、λ６、λ７、λ８の信号光を遮断する手段１７−１，１７−２，１７−３，１７−４、光回路１２には、波長λ９、λ１０、λ１１、λ１２の信号光を遮断する手段１９−１，１９−２，１９−３，１９−４、光回路１３には、波長λ１３、λ１４、λ１５、λ１６の信号光を遮断する手段２１−１，２１−２，２１−３，２１−４が配置されている。
【００２３】
図２に示す実施形態では、１番目の光回路１０に属する２×２光スイッチ１４−１，１４−３，１４−４はクロス状態、光スイッチ１４−２はバー状態に設定された例を示している。このように２×２光スイッチ１４−１，１４−２，１４−３，１４−４が設定されているため、１番目の光回路１０の第一入力ポートに入力された波長多重光信号は、遮断手段１５−１，１５−４を経由するので波長λ１とλ４の光が遮断され、波長λ２とλ３の信号光のみが１番目の光回路１０の第二出力ポートから出力される。一方、１番目の光回路の第二入力ポートに入力された波長多重光信号は、遮断手段１５−２，１５−３を経由するので波長λ２とλ３の光が遮断され、波長λ１とλ４の信号光のみが１番目の光回路１０の第一出力ポートから出力される。
【００２４】
２番目の光回路１１に属する２×２光スイッチ１６−１、１６−２はクロス状態、２×２光スイッチ１６−３、１６−４はバー状態に設定された例を示している。このように２×２光スイッチ１６−１，１６−２，１６−３，１６−４が設定されているため、２番目の光回路１１の第一入力ポートに入力された波長多重光信号は、遮断手段１７−１，１７−３，１７−４を経由するので波長λ５、λ７とλ８の光が遮断され、波長λ６の信号光のみが２番目の光回路１１の第一出力ポートから出力される。一方、２番目の光回路の第二入力ポートに入力された波長多重光信号は、遮断手段１７−２を経由するので波長λ６の光が遮断され、波長λ５、λ７とλ８の信号光のみが２番目の光回路１１の第二出力ポートから出力される。
【００２５】
３番目の光回路１２に属する２ｘ２光スイッチ１８−１，１８−２，１８−３はバー状態、２×２光スイッチ１８−４はクロス状態に設定された例を示している。このように２×２光スイッチ１８−１，１８−２，１８−３，１８−４が設定されているため、３番目の光回路１２の第一入力ポートに入力された波長多重光信号は、遮断手段１９−１，１９−２，１９−３，１９−４を経由するので波長λ９、λ１０、λ１１とλ１２の光が遮断され、３番目の光回路１２の第二出力ポートからは光信号は出力されない。一方、３番目の光回路の第二入力ポートに入力された波長多重光光信号は、遮断手段を経由しないので、波長λ９、λ１０、λ１１とλ１２の信号光が３番目の光回路１２の第一出力ポートから出力される。
【００２６】
４番目の光回路に属する２×２光スイッチ２０−１，２０−２，２０−３，２０−４はクロス状態に設定された例を示している。このように２×２光スイッチ２０−１，２０−２，２０−３，２０−４が設定されているため、４番目の光回路１３の第一入力ポートに入力された波長多重光信号は、遮断手段２１−１，２１−３を経由するので波長λ１３とλ１５の光が遮断され、波長λ１４とλ１６の信号光のみが４番目の光回路１３の第一出力ポートから出力される。一方、４番目の光回路１３の第二入力ポートに入力された波長多重光光信号は、遮断手段２１−２，２１−４を経由するので波長λ１４とλ１６の光が遮断され、波長λ１３とλ１５の信号光のみが４番目の光回路１３の第二出力ポートから出力される。
【００２７】
光回路１０，１１，１２，１３の第一出力ポートからの信号を合波する合波器２２からは、波長λ１、λ４、λ６、λ９、λ１０、λ１１、λ１２、λ１４、λ１６の光信号が出力される。一方、光回路１０，１１，１２，１３の第二出力ポートからの信号を合波する合波器２３からは、波長λ２、λ３、λ５、λ７、λ８、λ１３、λ１５の光信号が出力される。
【００２８】
１番目の光回路１０内の２×２光スイッチ１４−１，１４−２，１４−３，１４−４のバー状態とクロス状態を選定することにより、遮断手段１５−１，１５−２，１５−３，１５−４の任意の組み合わせを経由する１×２光分岐器６と合波器２２を結ぶ経路、および本組み合わせと相補関係にある遮断手段の組み合わせを経由する１×２光分岐器６と合波器２３を結ぶ経路の設定が可能である。従って、第一グループに属する信号光λ１、λ２、λ３、λ４の任意の組合せが合波器２２に入力され、また、これと相補関係にある第一グループに属する信号光が合波器２３に入力される。
【００２９】
同様に、２番目の光回路１１内の２×２光スイッチ１６−１，１６−２，１６−３，１６−４のバー状態とクロス状態を選定することにより、第二グループに属する信号光λ５、λ６、λ７、λ８の任意の組合せが合波器２２に入力され、また、これと相補関係にある第二グループに属する信号光が合波器２３に入力される。
【００３０】
同様に、３番目の光回路１２内の２×２光スイッチ１８−１，１８−２，１８−３，１８−４のバー状態とクロス状態を選定することにより、第三グループに属する信号光λ９、λ１０、λ１１、λ１２の任意の組合せが合波器２２に入力され、また、これと相補関係にある第三グループに属する信号光が合波器２３に入力される。
【００３１】
同様に、４番目の光回路１３内の２×２光スイッチ２０−１，２０−２，２０−３，２０−４のバー状態とクロス状態を選定することにより、第四グループに属する信号光λ１３、λ１４、λ１５、λ１６の任意の組合せが合波器２２に入力され、また、これと相補関係にある第四グループに属する信号光が合波器２３に入力される。
【００３２】
以上、この発明の実施形態を、図面を参照して詳述した。上記説明において示した例は一例に過ぎず、具体的な構成はこの実施形態に限られるものではなく、この発明の要旨を逸脱しない範囲の構成等も含まれる。
【００３３】
【発明の効果】
以上説明したように、本発明の波長選択スイッチは、外部からの制御により、任意の組み合わせの波長信号光とこれと相補関係にある組み合わせの波長信号光を選択することが可能である。
また、本発明の波長選択スイッチから出力される信号光は、特定の波長光を遮断する手段を利用して構成された本発明の波長選択スイッチを通過するので、信号波形等に劣化を受けず、更に、入力される波長多重信号光をグループに分けることで光回路に含まれる２×２光スイッチの段数を減らすことができ、これにより、本発明の波長選択スイッチ通過時に受ける損失も小さくすることができるという効果がある。
【図面の簡単な説明】
【図１】  本発明と従来技術の波長選択スイッチにより生じる損失を比較する図である。
【図２】  本発明の波長選択スイッチの一実施の形態を示すブロック図である。
【図３】  帯域通過型光フィルタのスペクトル通過特性を示す図である。
【図４】  従来の帯域遮断型波長選択スイッチの構成を示す図である。
【符号の説明】
１…１×Ｎ光分岐器
２，３，４，５、１５，１７，１９，２１，２６…波長信号の遮断手段
６，７，８，９，２４…１×２光分岐器
１０，１１，１２，１３…光回路
１４，１６，１８，２０，２５…２×２光スイッチ
２２，２３…合波器
【図１】
0003967102.tif 000002
【図２】
0003967102.tif 000003
【図３】
0003967102.tif 000004
【図４】
0003967102.tif 000005